(57)【要約】【課題】移動式クレーンに人などが接近したことを警報する警報手段を有する移動式クレーンを提供する。【解決手段】本発明の移動式クレーン１は、走行部本体１１と、この走行部本体１１上に設けられた旋回部１２と、走行部本体１１の転倒を防止するべく走行部本体１１の側方に張り出し可能に設けられた複数のアウトリガ１４と、これらのアウトリガ１４の先端に設けられた支柱部材１５とを備えている。また、この移動式クレーン１は、互いに隣接する支柱部材１５，１５間に張り渡されるロープ部材１６と、このロープ部材１６の張力を検出する張力検出手段であるセンサ１７と、このセンサ１７に接続された警報手段であるランプ１８とを備えている。【選択図】　　図１
2004043052.tif 000002
【特許請求の範囲】
【請求項１】
走行部本体と、この走行部本体上に設けられた旋回部と、前記走行部本体の転倒を防止すべく前記走行部本体の側方に張り出し可能に設けられた複数のアウトリガと、このアウトリガの先端に設けられた支柱部材とを備えた移動式クレーンにおいて、
互いに隣接する前記支柱部材間に張り渡されるロープ部材と、
前記ロープ部材に作用する張力を検出する張力検出手段と、
前記張力検出手段に接続された警報手段とを備えたことを特徴とする警報手段を有する移動式クレーン。
【発明の詳細な説明】
【０００１】
【発明の属する技術分野】
本発明は、警報手段を有する移動式クレーンに関する。
【０００２】
【従来の技術】
移動式クレーンは、自走可能な走行部本体と、この走行部本体上に設けられた旋回部と、旋回部に設けられた運転室と、移動式クレーンの転倒を防止すべく走行部本体の側方に張り出し可能に設けられたアウトリガと、これらのアウトリガの先端に設けられた支柱部材とを有している。旋回部には伸縮自在なブームが取り付けられている。
【０００３】
この移動式クレーンは、運転室にオペレータが乗り込み、走行部本体からアウトリガを張り出してから、必要に応じて旋回部を旋回させてブームを操作し、吊り上げ作業などを行うようになっている。
【０００４】
このとき、旋回部の旋回半径内に人などが入り込むおそれがある。そのため、従来は、旋回部の旋回半径を含む一定の範囲をバリケードなどで区画したり、アウトリガの支柱部材の頂部にロープを張り渡したりして、これらの範囲内に人などが立ち入るのを制限していた。
【０００５】
【発明が解決しようとする課題】
しかしながら、従来の方法では、立ち入りが制限された範囲内に人などが立ち入った場合に、これを示す警報などがなされなかったので、移動式クレーンのオペレータは人などが接近したことを認識できず、そのまま作業を継続するおそれがあった。
【０００６】
本発明の目的は、このような問題点を解決するためになされたものであり、移動式クレーンに人などが接近したことを示す警報手段を有する移動式クレーンを提供することを技術的課題とする。
【０００７】
【課題を解決するための手段】
本発明は警報手段を有する移動式クレーンであり、前述した技術的課題を解決するために以下のように構成されている。すなわち、本発明は、走行部本体と、この走行部本体上に設けられた旋回部と、前記走行部本体の転倒を防止すべく前記走行部本体の側方に張り出し可能に設けられた複数のアウトリガと、これらのアウトリガの先端に設けられた支柱部材とを備えた移動式クレーンにおいて、互いに隣接する前記支柱部材間に張り渡されるロープ部材と、前記ロープ部材の張力を検出する張力検出手段と、前記張力検出手段に接続された警報手段とを備えたことを特徴とする。
【０００８】
警報手段としては、ランプ、ブザー、サイレンなどを例示できる。
【０００９】
この発明によれば、隣接するアウトリガの支柱部材間に張り渡されたロープ部材に人などが接触すると、ロープ部材に張力が加わり、この張力が張力検出手段によって検出され、張力手段に接続されている警報手段が作動する。これにより、オペレータは移動式クレーンに人などが接近していることを確実に認識できる。
【００１０】
【発明の実施の形態】
以下、本発明の警報手段を有する移動式クレーンの実施形態について、図面を参照して詳細に説明する。
【００１１】
図１は本発明に係る警報手段を有する移動式クレーン１の使用状態を示す。この移動式クレーン１は、走行部本体１１と、この走行部本体１１上に設けられた旋回部１２と、旋回部１１に設けられた運転室１３と、走行部本体１１の転倒を防止するべく走行部本体１１の側方に張り出し可能に設けられた複数のアウトリガ１４，１４・・・と、これらのアウトリガ１４，１４・・・の先端に設けられた支柱部材１５，１５・・・とを備えている。なお、旋回部１２には、ブーム２０（図２参照）が取り付けられている。
【００１２】
また、この移動式クレーン１は、互いに隣接する支柱部材１５，１５間に張り渡されるロープ部材１６と、このロープ部材１６の途中に取り付けられロープ部材１６の張力を検出する張力検出手段であるセンサ１７と、このセンサ１７に接続された警報手段であるランプ１８とを備えている。
【００１３】
次に、上記各構成要素について説明する。走行部本体１１，旋回部１２，運転室１３は一般的な構成であり、その説明を省略する。
【００１４】
支柱部材１５，１５・・・の上面には、環状部材１９，１９・・・が取り付けられ、これらの環状部材１９，１９・・・に上記ロープ部材１６が一定の張力で取り付けられている。
【００１５】
また、アウトリガ１４，１４・・・及び支柱部材１５，１５・・・は、図２に示すように、走行部本体１１の左右両側にそれぞれ２組ずつ、前方に１組設けられている。そして、左右両側の支柱部材１５，１５間、及び、これらの支柱部材１５，１５のうち前側の支柱部材１５と前方の支柱部材１５との間に、ロープ部材１６が張り渡されている。
【００１６】
次に、この移動式クレーン１における警報動作について説明する。例えば、人が移動式クレーン１に接近しローブ婦材１６に接触すると、ロープ部材１６に張力が加わり、これがセンサ１７によって検出される。
【００１７】
そうすると、センサ１７の出力に基づいて、ランプ１８が点灯する。ランプ１８は点滅させてもよい。これにより、移動式クレーン１のオペレータは、人などがロープ部材１６に接触したこと、すなわち、移動式クレーン１に人などが接近したことを認識できる。これにより、オペレータは移動式クレーン１の操作を停止するなど適切な処置をとることができる。
【００１８】
なお、上記実施形態では、警報手段としてランプ１８を使用したが、これに代えてブザーやサイレンなどを使用できる。また、上記実施形態では、互いに隣接する支柱部材１５，１５の頂部にのみ、ロープ部材１６を張り渡したが、支柱部材１５，１５の中間部分にも、ロープ部材１６を張り渡すことができる。
【００１９】
また、上記実施形態では、センサ１７をロープ部材１６の途中に取り付けたが、ロープ部材１６と支柱部材１５との間にセンサ１７を取り付けることもできる。
【００２０】
【発明の効果】
以上説明したように、本発明によれば、互いに隣接するアウトリガーの支柱部材間に張り渡したロープ部材に人などが接触すると、警報手段が作動するので、移動式クレーンに人などが接近したことをオペレータが確実に認識できる。従って、オペレータが移動式クレーンの操作を停止するなど適切な処置をとることができる。
【図面の簡単な説明】
【図１】本発明の警報手段を有する移動式クレーンの使用状態を示す正面図である。
【図２】図１のＡ矢視図である。
【符号の説明】
１　移動式クレーン
１１　走行部本体
１２　旋回部
１３　運転室
１４　アウトリガ
１５　支柱部材
１６　ロープ部材
１７　センサ（張力検出手段）
１８　ランプ（警報手段）
【図１】
2004043052.tif 000003
【図２】
2004043052.tif 000004